(57)【要約】【課題】  軽量形鋼の野縁に簡単且つ迅速に取り付ける。【解決手段】  吊り木本体１ａの一方側に、梁４へ取り付けられる吊り止め具２を回転可能に設け、吊り木本体１ａの他方側に、軽量形鋼からなる野縁５に取付けられる受板３を回転可能に設けて、受板３の他方面部３ｂの一側に、野縁５の基部５ａ、一方の折曲部５ｂの曲折部位に当接する当接片１５ａと、該一方の折曲部５ｂの端縁部に係止する屈曲可能な係止片１５ｂとを有する固定具１５を固着し、他方面部３ｂの他側端部に、野縁５の他方の折曲部５ｃを支持する支持片３ｆを、該他側端部に対して直交する方向に延設し、支持片３ｆの先端部に、野縁５の他方の折曲部５ｃの端縁部に掛止する掛止片３ｇを形成する。【選択図】図１
2007247229.tif 000002
【特許請求の範囲】
【請求項１】
吊り木本体（１ａ）の一方側には、梁(４)へ取り付けられる吊り止め具(２)が、吊り木本体（１ａ）に対して接離可能に設けられ、且つ該吊り木本体(１ａ)の他方側には、野縁(５)に取付けられる受板(３)が回転可能に設けられてなり、
しかも、吊り木本体(１ａ)の他方面部(１ｃ)と受板(３)の一方面部(３ａ)が、夫々の対向する表面(１ｆ，３ｃ)を離間させた状態で接続体(６)を介して回転可能に接続される吊り木において、
受板（３）の他方面部（３ｂ）の少なくとも一側には、軽量形鋼からなる野縁（５）の端縁部に係止する屈曲可能な係止片（１５ｂ，２０ｂ，２１ｂ，３ｈ）が設けられてなることを特徴とする吊り木。
【請求項２】
吊り木本体（１ａ）の一方側には、梁(４)へ取り付けられる吊り止め具(２)が、吊り木本体（１ａ）に対して接離可能に設けられ、且つ該吊り木本体(１ａ)の他方側には、野縁(５)に取付けられる受板(３)が回転可能に設けられてなり、
しかも、吊り木本体(１ａ)の他方面部(１ｃ)と受板(３)の一方面部(３ａ)が、夫々の対向する表面(１ｆ，３ｃ)を離間させた状態で接続体(６)を介して回転可能に接続される吊り木において、
受板（３）の他方面部（３ｂ）の一側には、軽量形鋼からなる野縁（５）の基部（５ａ）、及び一方の折曲部（５ｂ）の曲折部位に当接する当接片（１５ａ）と、該一方の折曲部（５ｂ）の端縁部に係止する屈曲可能な係止片（１５ｂ）とを有する固定具（１５）が固着され、
他方面部（３ｂ）の他側端部には、野縁（５）の他方の折曲部（５ｃ）を支持する支持片（３ｆ）が、該他側端部に対して直交する方向に延設され、さらに、支持片（３ｆ）の先端部には、野縁（５）の他方の折曲部（５ｃ）の端縁部に掛止する掛止片（３ｇ）が形成されてなることを特徴とする吊り木。
【請求項３】
吊り木本体（１ａ）の一方側には、梁(４)へ取り付けられる吊り止め具(２)が、吊り木本体（１ａ）に対して接離可能に設けられ、且つ該吊り木本体(１ａ)の他方側には、野縁(５)に取付けられる受板(３)が回転可能に設けられてなり、
しかも、吊り木本体(１ａ)の他方面部(１ｃ)と受板(３)の一方面部(３ａ)が、夫々の対向する表面(１ｆ，３ｃ)を離間させた状態で接続体(６)を介して回転可能に接続される吊り木において、
受板（３）の他方面部（３ｂ）の一側には、軽量形鋼からなる野縁（５）の基部（５ａ）、及び一方の折曲部（５ｂ）の曲折部位に当接する当接片（２０ａ）と、該一方の折曲部（５ｂ）の端縁部に係止する屈曲可能な係止片（２０ｂ）とを有する第一固定具（２０）が固着され、
他方面部（３ｂ）の他側端部には、野縁（５）の他方の折曲部（５ｃ）を支持する支持片（３ｆ）が、該他側端部に対して直交する方向に延設され、
他方面部（３ｂ）の他側端部、及び支持片（３ｆ）の曲折部位に当接する当接片（２１ａ）と、野縁（５）の他方の折曲部（５ｃ）の端縁部に係止する屈曲可能な係止片（２１ｂ）とを有する第二固定具（２１）が固着されてなることを特徴とする吊り木。
【請求項４】
吊り木本体（１ａ）の一方側には、梁(４)へ取付けられる吊り止め具(２)が、吊り木本体（１ａ）に対して接離可能に設けられ、且つ該吊り木本体(１ａ)の他方側には、野縁(５)に取り付けられる受板(３)が回転可能に設けられてなり、
しかも、吊り木本体(１ａ)の他方面部(１ｃ)と受板(３)の一方面部(３ａ)が、夫々の対向する表面(１ｆ，３ｃ)を離間させた状態で接続体(６)を介して回転可能に接続される吊り木において、
受板（３）の他方面部（３ｂ）の一側には、軽量形鋼からなる野縁（５）の基部（５ａ）、及び一方の折曲部（５ｂ）の曲折部位に当接する当接片（１５ａ）と、該一方の折曲部（５ｂ）の端縁部に係止する屈曲可能な係止片（１５ｂ）とを有する固定具（１５）が固着され、
他方面部（３ｂ）の他側端部には、野縁（５）の他方の折曲部（５ｃ）を支持する支持片（３ｆ）が、該他側端部に対して直交する方向に延設され、さらに、支持片（３ｆ）の先端部には、野縁（５）の他方の折曲部（５ｃ）の端縁部に係止する屈曲可能な係止片（３ｈ）が形成されてなることを特徴とする吊り木。
【請求項５】
該接続体(６)には、弾性体(７)が外嵌され、且つ該弾性体(７)が、一方面部(３ａ)の表面(３ｃ)と対向する吊り木本体(１ａ)の他方面部(１ｃ)の表面(１ｆ)に当接する上方弾性部(７ａ)を一方側に有し、且つ他方側には受板(３)に穿設された挿通孔(３ｅ)より大径で、且つ前記受板(３)の他方側方向への抜け止めをはかる下方弾性部(７ｂ)とからなることを特徴とする請求項１乃至４のいずれかに記載の吊り木。
【発明の詳細な説明】
【技術分野】
【０００１】
本発明は、本発明は、主として木造家屋内に組み込まれた梁から天井を形成する部材の一つである野縁を吊り下げるために使用される吊り木に関するものである。
【背景技術】
【０００２】
従来のこの種吊り木は、建築構造物の小屋梁上又は二階梁に架設された水平方向の吊り木受けに適数懸吊されており、各吊り木によって、格子状に組まれた木製の野縁が吊設され、この野縁に天井板が張設されているのが一般的である。
【０００３】
この場合、吊り木受けが建築構造物の梁に架設されているため、地震の震動や人の動きによって生じる振動が、吊り木受け、吊り木を介して野縁や天井板に伝わってこれらの部材を破損してしまうことがある。
【０００４】
そして近年、地震対策及び振動防止対策として、吊り木にゴム製の防振部材を組み込んで、野縁や天井板の破損を防止しているものが知られている（特許文献１）。
【０００５】
また、他の従来例の吊り木として、例えば図６（イ）〜（ハ）に示すように、吊り木本体１ａと、吊り木本体１ａの一方側に回動可能に設けられた吊り止め具２と、吊り木本体１ａの他方側に回動可能に設けられた受板３とから構成されているものも公知になっている。
【０００６】
吊り木本体１ａは、所定厚みの板金材を加工することによって側面視略矩形型Ｃ字状に形成されている。そして、吊り木本体１ａには、上端部及び下端部を正面側に立ち上げて形成した一方面部１ａと、他方面部１ｂとを有し、さらに、両側面を９０°正面側に立ち上げて形成した二つの補強把持部１ｇ，１ｇを有している。吊り木本体１ａの基部、及び両補強把持部１ｇ、１ｇには、工具係止孔１ｈ，…が穿設されている。
【０００７】
吊り止め具２は、木造家屋内に組み込まれた梁４の側面に釘や木螺子（図示せず）を介して取付けられる。そして、吊り木本体１ａと同様に、所定厚みの板金材を加工することによって側面視略Ｌ字状に形成され、しかも、使用時において、梁４の側面に対して略平行となる一方面部２ａの垂直面には、前記釘や木螺子を挿通するための所定間隔を有した一対の段違い貫通孔１２が穿設されている。
【０００８】
なお、前記一方面部２ａの垂直面を介して水平状態に位置決めされる他方面部２ｂの水平面の略中央には、該吊り止め具２を前記吊り木本体１ａの一方面部１ｂの水平面の裏面１ｅ側に溶着された六角ナット１１へ螺入可能なボルト１０が、吊り止め具２の他方面部２ｂに植設されている。
【０００９】
受板３は、梁４と共に木造家屋内に組み込まれ、且つ天井を形成する部材の一つである野縁５の側面に釘や木螺子（図示せず）を介して取付けられ、吊り木本体１ａと同様に、所定厚みの板金材を加工することによって側面視略Ｌ字状に形成されている。そして、使用時において野縁５の側面に対して略平行となる他方面部３ｂの垂直面に、吊り止め具２と同様に、釘や木螺子を挿通するための所定間隔を有した一対の段違い貫通孔１２が穿設されている。さらに、他方面部３ｂの垂直面を介して水平状態に位置決めされる一方面部３ａの水平面の略中央には、後述する弾性体７の環状凸部７ｃが挿通可能な挿通孔３ｅが穿設されている。
【００１０】
吊り木本体１ａの両側の曲折部位にリブＲが形成され、吊り止め具２の他方面部２ｂ、及び一方面部２ａの曲折部位と、一方面部２ａとにそれぞれリブＲが形成され、受板３の曲折部位、又は他方面部３ｂの長さ方向にリブＲが適宜形成されている。
【００１１】
弾性体７は、ゴム材から形成されており、受板３の一方面部３ａの表面３ｃ、及び吊り木本体１ａの他方面部１ｃの表面１ｆの間に介装された環状の上方弾性部７ａと、受板３の一方面部３ａの裏面に配された環状の下方弾性部７ｂとからなる。両弾性部７ａ，７ｂは、吊り木本体１及び受板３が回動できる程度にリベット６及び平座金８によって結合されており、下方弾性部７ｂの穴周縁部には、環状凸部７ｃが同心状に形成されている。
【００１２】
この弾性体７によって、例えば、子供等が飛んだり跳ねたりした場合や足音、音響、その他の振動等を介して梁４又は野縁５の何れかに衝撃等が生じた場合であっても、弾性体７を介して衝撃や振動等を効率良く吸収することができるだけでなく、吊り木本体１ａの回転を滑らかにすることができる。
【００１３】
そして、調整作業を行う場合において、野縁５と梁４との距離間隔を狭めるべく吊り木本体１ａを回転させた場合、リベット６が受板３に取付けられた野縁５の自重を受けることとなり、よって弾性体７が受板３を介して圧縮されることで吊り木本体１ａの回転時に生じる摩擦抵抗をなくすようにしている。
【００１４】
よって、吊り木本体１ａを左右何れかの方向へ回転させて吊り止め具２と受板３との距離寸法を調整する場合、強い腕力を全く必要とすることなく、誰でも簡単に、野縁５の自重がかかった吊り木本体１ａを回転させて吊り止め具２と受板３との距離寸法、即ち、吊り木を介して梁４から吊り下げられた野縁５の梁４からの吊り下げ寸法を簡単に調整することができるようになっている。
【特許文献１】特許第３５１０１４８号公報
【発明の開示】
【発明が解決しようとする課題】
【００１５】
ところで、昨今住宅メーカにおいては、木製の野縁５に代わって軽量形鋼（軽天材）の野縁を使用することが多くなり、図６（イ）〜（ハ）の吊り木では、上記野縁に簡単且つ迅速に取り付けられないという問題がある。
【００１６】
そこで、本発明は上記問題を鑑み、軽量形鋼の野縁に簡単且つ迅速に取り付けられる吊り木を提供することを目的とする。
【課題を解決するための手段】
【００１７】
本発明に係る吊り木は、吊り木本体１ａの一方側には、梁４へ取り付けられる吊り止め具２が、吊り木本体１ａに対して接離可能に設けられ、且つ該吊り木本体１ａの他方側には、野縁５に取付けられる受板３が回転可能に設けられてなり、しかも、吊り木本体１ａの他方面部１ｃと受板３の一方面部３ａが、夫々の対向する表面１ｆ，３ｃを離間させた状態で接続体６を介して回転可能に接続される吊り木において、受板３の他方面部３ｂの少なくとも一側には、軽量形鋼からなる野縁５の端縁部に係止する屈曲可能な係止片１５ｂ，２０ｂ，２１ｂ，３ｈが設けられてなるものである。
【００１８】
したがって、例えばＣ字形状やＬ字形状の軽量形鋼からなる野縁５の端縁部に屈曲可能な係止片１５ｂ，２０ｂ，２１ｂ，３ｈを係止させるだけで、野縁５への装着が簡単に行える。
【００１９】
また本発明に係る吊り木は、吊り木本体１ａの一方側には、梁４へ取り付けられる吊り止め具２が、吊り木本体１ａに対して接離回転可能に設けられ、且つ該吊り木本体１ａの他方側には、野縁５に取付けられる受板３が回転可能に設けられてなり、しかも、吊り木本体１ａの他方面部１ｃと受板３の一方面部３ａが、夫々の対向する表面１ｆ，３ｃを離間させた状態で接続体６を介して回転可能に接続される吊り木において、受板３の他方面部３ｂの一側には、軽量形鋼からなる野縁５の基部５ａ、及び一方の折曲部５ｂの曲折部位に当接する当接片１５ａと、該一方の折曲部５ｂの端縁部に係止する屈曲可能な係止片１５ｂとを有する固定具１５が固着され、他方面部３ｂの他側端部には、野縁５の他方の折曲部５ｃを支持する支持片３ｆが、該他側端部に対して直交する方向に延設され、さらに、支持片３ｆの先端部には、野縁５の他方の折曲部５ｃの端縁部に掛止する掛止片３ｇが形成されてなるものである。
【００２０】
そうすれば、受板３の掛止片３ｇによって野縁５に対する受板３の位置決めが行われると共に、屈曲可能な固定具１５の係止片１５ｂによって位置決め後の野縁５に対する受板３の装着が行われる。
【００２１】
さらに、本発明に係る吊り木は、吊り木本体１ａの一方側には、梁４へ取り付けられる吊り止め具２が、吊り木本体１ａに対して接離可能に設けられ、且つ該吊り木本体１ａの他方側には、野縁５に取付けられる受板３が回転可能に設けられてなり、しかも、吊り木本体１ａの他方面部１ｃと受板３の一方面部３ａが、夫々の対向する表面１ｆ，３ｃを離間させた状態で接続体６を介して回転可能に接続される吊り木において、受板３の他方面部３ｂの一側には、軽量形鋼からなる野縁５の基部５ａ、及び一方の折曲部５ｂの曲折部位に当接する当接片２０ａと、該一方の折曲部５ｂの端縁部に係止する屈曲可能な係止片２０ｂとを有する第一固定具２０が固着され、他方面部３ｂの他側端部には、野縁５の他方の折曲部５ｃを支持する支持片３ｆが、該他側端部に対して直交する方向に延設され、他方面部３ｂの他側端部、及び支持片３ｆの曲折部位に当接する当接片２１ａと、野縁５の他方の折曲部５ｃの端縁部に係止する屈曲可能な係止片２１ｂとを有する第二固定具２１が固着されてなるものである。
【００２２】
したがって、野縁５の両折曲部５ｂ、５ｃの端縁部に、第一固定具２０の係止片２０ｂ、及び第二固定具２１の係止片２１ｂが係止することによってより強固に装着される。
【００２３】
加えて、本発明に係る吊り木は、吊り木本体１ａの一方側には、梁４へ取り付けられる吊り止め具２が、吊り木本体１ａに対して接離可能に設けられ、且つ該吊り木本体１ａの他方側には、野縁５に取り付けられる受板３が回転可能に設けられてなり、しかも、吊り木本体１ａの他方面部１ｃと受板３の一方面部３ａが、夫々の対向する表面１ｆ，３ｃを離間させた状態で接続体６を介して回転可能に接続される吊り木において、受板３の他方面部３ｂの一側には、軽量形鋼からなる野縁５の基部５ａ、及び一方の折曲部５ｂの曲折部位に当接する当接片１５ａと、該一方の折曲部５ｂの端縁部に係止する屈曲可能な係止片１５ｂとを有する固定具１５が固着され、他方面部３ｂの他側端部には、野縁５の他方の折曲部５ｃを支持する支持片３ｆが、該他側端部に対して直交する方向に延設され、さらに、支持片３ｆの先端部には、野縁５の他方の折曲部５ｃの端縁部に係止する屈曲可能な係止片３ｈが形成されてなるものである。
【００２４】
よって、受板３の支持片３ｆの先端部に係止片３ｈを形成することで、固定具１５のような後付け加工を少なくしてコスト低減を図っている。
【００２５】
上述したいずれの吊り木も、野縁５への装着に際して円滑に且つ迅速に作業を行うことができて、吊り木の確実で強固な装着が実現されている。
【００２６】
また、接続体６に弾性体７を外嵌し、且つ該弾性体７を、一方面部３ａの表面３ｃと対向する吊り木本体１ａの他方面部１ｃの表面１ｆに当接する上方弾性部７ａと、受板３に穿設された挿通孔３ｅより大径で、且つ前記受板３の他方側方向への抜け止めをはかる下方弾性部７ｂとで構成するのが好ましい。
【００２７】
よって、地震対策及び防振対策に適用した吊り木を提供できる。
【発明の効果】
【００２８】
以上のように、本発明の吊り木によれば、吊り木の受板を、軽量形鋼からなる野縁の端縁部に係脱可能に構成するようにしたので、主流となりつつある建築資材に簡単な構成で適用できる。しかも、この吊り木は、簡単且つ短時間で野縁に装着できると共に、容易に且つ安価に作製できる。
【発明を実施するための最良の形態】
【００２９】
以下、本発明の実施形態１に係る吊り木について、添付図面を参照しつつ説明する。なお、図６と同一符号の箇所は説明を省略し、異なる点のみを以下に説明する。
【００３０】
（実施形態１）
本実施形態１に係る吊り木は、図１（イ）〜（ハ）及び図２に示すように、断面Ｌ字形状の受板３の他方面部３ｂの一側に、側面視略矩形型Ｃ字状の野縁５の基部５ａ、及び一方の折曲部５ｂの曲折部位に当接する断面Ｌ字形状で幅広の当接片１５ａと、該一方の折曲部５ｂの端縁部に係止する屈曲可能な幅狭の係止片１５ｂとを有する固定具１５を固着し、他方面部３ｂの他側端部に、野縁５の他方の折曲部５ｃを支持する支持片３ｆを、該他側端部に対して直交する方向に延設し、さらに、支持片３ｆの先端部に、野縁５の他方の折曲部５ｃの端縁部に掛止する掛止片３ｇを形成する。該掛止片３ｇは、当接片１５ａよりも幅広に形成されており、野縁５の端縁部に安定した状態で掛止するようになっている。なお、固定具１５においては、当接片１５ａと係止片１５ｂとの間に、係止片１５ｂが屈曲しやすいように括れが設けられている。
【００３１】
この場合、固定具１５の当接片１５ａをやや拡開した状態（鈍角が形成される状態）にして、受板３の掛止片３ｇを野縁５の他方の折曲部５ｃの端縁部に当接し、この当接部位を支点にして、受板３の他方面部３ｂを野縁５の基部５ａに近接する方向に回動する。そして、受板３の他方面部３ｂの支持片３ｆを野縁５の他方の折曲部５ｃに当接すると共に、固定具１５の当接片１５ａを、野縁５の基部５ａ、及び一方の折曲部５ｂの曲折部位に当接し、続いて、係止片１５ｂを折り曲げて野縁５の一方の折曲部５ｂに係止する。これによって、受板３が野縁５に確実に装着される。
【００３２】
（実施形態２）
本実施形態２に係る吊り木は、図３（イ）〜（ハ）に示すように、受板３の他方面部３ｂの一側に、野縁５の基部５ａ、及び一方の折曲部５ｂの曲折部位に当接する断面Ｌ字形状の当接片２０ａと、該一方の折曲部５ｂの端縁部に係止する屈曲可能な係止片２０ｂとを有する第一固定具２０を固着し、他方面部３ｂの他側端部に、野縁５の他方の折曲部５ｃを支持する支持片３ｆを、該他側端部に対して直交する方向に延設し、他方面部３ｂの他側端部、及び支持片３ｆの曲折部位に当接する断面Ｌ字形状の当接片２１ａと、野縁５の他方の折曲部５ｃの端縁部に係止する屈曲可能な係止片２１ｂとを有する第二固定具２１を固着する。
【００３３】
この場合、第一固定具２０の当接片２０ａをやや拡開した状態にして、受板３の他方面部３ｂを野縁５の基部５ａに近接させる。つぎに、受板３の支持片３ｆを野縁５の他方の折曲部５ｃに当接すると共に、第一固定具２０の当接片２０ａを野縁５の一方の折曲部５ａに当接し、その後、第一固定具２０の係止片２０ｂ、及び第二固定具２１の係止片２１ｂを、野縁５の両折曲部５ｂ，５ｃの端縁部に係止させ、野縁５に吊り木を装着する。
【００３４】
（実施形態３）
本実施形態３に係る吊り木は、図４（イ）〜（ハ）に示すように、受板３の他方面部３ｂの一側に、野縁５の基部５ａ、及び一方の折曲部５ｂの曲折部位に当接する断面Ｌ字形状の当接片１５ａと、該一方の折曲部５ｂの端縁部に係止する屈曲可能な係止片１５ｂとを有する固定具１５を固着し、他方面部３ｂの他側端部に、野縁５の他方の折曲部５ｃを支持する支持片３ｆを、該他側端部に対して直交する方向に延設し、支持片３ｆの先端部に、野縁５の他方の折曲部５ｃの端縁部に係止する屈曲可能な係止片３ｈを一体に形成する。
【００３５】
この場合、固定具１５の当接片１５ａをやや拡開した状態にして、受板３の他方面部３ｂを野縁５の基部５ａに近接させる。つぎに、受板３の支持片３ｆを野縁５の他方の折曲部５ｃに当接すると共に、固定具１５の当接片１５ａを野縁５の一方の折曲部５ｂに当接し、その後、固定具１５の係止片１５ｂを野縁５の一方の折曲部５ｂの端縁部に係止させると共に、受板３の係止片３ｈを野縁５の他方の折曲部５ｃの端縁部に係止させ、野縁５に吊り木を装着する。
【００３６】
このように、前記各実施形態１，２，３のいずれの場合も、野縁５への装着に際して釘やボルトなどの締結部材を一切使用しておらず、部材を当接させたり、部材の一部を折り曲げて係止させたりするだけでよく、極めて簡単に装着作業を完了できる。また、受板３及び固定具１５，２０，２１は、曲げや打ち抜きの加工が主であるため、容易に且つ安価に作製できる。また、上記各固定具１５，２０，２１の形状は図示に限定されるものではなく、当接片１５ａ，２０ａ，２１ａが、野縁５の曲折部位に当接して、係止片２１ａ，２０ｂ，２１ｂが野縁５の端縁部に係止し、吊り木の受板３を野縁５に装着できればどのような形状であってもよい。
【００３７】
なお、前記各実施形態１，２，３の場合、吊り木本体１ａ、吊り止め具２、及び受板３の材質は、特に限定はしていないが、天井を支持できる強度を有するものであればよく、例えば金属、合成樹脂、木材（間伐材）のいずれであってもよい。
【００３８】
また、その他の例として、図５に示すように、野縁５の両折曲部５ｂ，５ｃの端面に当接する位置決め片２５ａを、受板３の支持片３ｆ先端部から立ち上げ、さらに、野縁５を挿入しやすいようにするためのガイド片２５ｂを、位置決め片２５ａの先端部に傾斜して設けると共に、野縁５の一方の折曲部５ａに係止する係止片２５ｃを、ガイド片２５ｂの中央部に切り起こして、ガイド片２５ｂの傾斜端部から内側に突出するように形成してもよい。
【図面の簡単な説明】
【００３９】
【図１】（イ）〜（ハ）は、本発明における吊り木の実施形態１を示した正面図、側面図、背面図である。
【図２】図１の受板の平面図である。
【図３】（イ）〜（ハ）は、実施形態２の要部（受板）を示した平面図、側面図、底面図である。
【図４】（イ）〜（ハ）は、実施形態３の要部（受板）を示した平面図、側面図、底面図である。
【図５】受板の変形例を示した側面図である。
【図６】（イ）〜（ハ）は、従来例の吊り木を示した正面図、側面図、背面図である。
【符号の説明】
【００４０】
１…吊り木、１ａ…吊り木本体、１ｂ，…一方面部、１ｃ…他方面部、１ｄ…表面、１ｅ…裏面、１ｆ…表面、１ｇ…補強把持部、１ｈ…工具係止孔、２…吊り止め具、２ａ…一方面部、２ｂ…他方面部、２ｃ…梁打ち込み部、２ｄ…表面、２ｅ…裏面、３…受板、３ａ…一方面部、３ｂ…他方面部、３ｃ…表面、３ｄ…裏面、３ｅ…挿通孔、３ｆ…支持片、３ｇ…掛止片、３ｈ…係止片、４…梁、５…野縁、５ａ…基部、５ｂ…折曲部、６…リベット、７…弾性体、７ａ…上方弾性部、７ｂ…下方弾性部、７ｃ…環状凸部、８…平座金、１０…ボルト、１１…ナット、１２…貫通孔、１５…固定具、１５ａ…当接片、１５ｂ…係止片、２０，…第一固定具、２０ａ…当接片、２０ｂ…係止片、２１…第二固定具、２１ａ…当接片、２１ｂ…係止片、２５ａ…位置決め片、２５ｂ…ガイド片、２５ｃ…係止片、Ｒ…リブ
【図１】
2007247229.tif 000003
【図２】
2007247229.tif 000004
【図３】
2007247229.tif 000005
【図４】
2007247229.tif 000006
【図５】
2007247229.tif 000007
【図６】
2007247229.tif 000008